(57)【要約】      （修正有）【課題】簡易な構成で、装着時の耳の痛みが生じるのを防ぎ、息苦しさを低減するフェイスカバーを提供する。【解決手段】フェイスカバーとしてのマスク１は、眼を覆うレンズおよびリム２１と、リム２１の両端から側頭部側に延設され、頭部に支持されるテンプル２３と、を備えた眼鏡２に装着される。マスク１は、顔を少なくとも部分的に覆うカバー本体１１を備えている。カバー本体１１の上縁部の中央部より両端側に、テンプル２３に係止する筒状部１２を備え、カバー本体１１の上縁部近傍に、中央部から両端側に延びる弾性部１３を備える。【選択図】図３
0003228822.tif 000002
【実用新案登録請求の範囲】
【請求項１】
顔を少なくとも部分的に覆うカバー本体を備えたフェイスカバーであって、
眼を覆う眼カバー部と、当該眼カバー部の両端から側頭部側に延設され、頭部に支持される頭部被支持部と、を備えたアイウェアに装着されるフェイスカバーにおいて、
前記カバー本体の上縁部の中央部より両端側に、前記頭部被支持部に係止する側部係止部を備え、
前記カバー本体の上縁部近傍に、中央部から両端側に延びる弾性部を備えたフェイスカバー。
【請求項２】
前記カバー本体を平置きした状態で、前記弾性部はその中央部が前方に突出するよう形成されている請求項１記載のフェイスカバー。
【請求項３】
前記カバー本体の内面の上縁部近傍から下方に延びる空間形成部材を備え、
前記空間形成部材は、下方ほど前部に突出する漸増部を備えた請求項１または２記載のフェイスカバー。
【請求項４】
前記空間形成部材は、幅方向に並設された２本の長尺材であり、
２本の前記長尺材は、下方ほど互いに幅方向に離間するよう配置されている請求項３記載のフェイスカバー。
【請求項５】
前記カバー本体の上縁部近傍に、前記アイウェアの前部に係止する前部係止部を備えた請求項１から４のいずれか一項に記載のフェイスカバー。
【考案の詳細な説明】
【技術分野】
【０００１】
本考案は、顔を少なくとも部分的に覆うフェイスカバーに関する。
【背景技術】
【０００２】
従来、鼻や口から花粉，ほこり等の微粒子や菌，ウイルス等を吸い込まないよう、また、口からの飛沫の拡散を防止するために、鼻や口を覆うフェイスカバーとして、マスクやフェースシールド等が用いられている。一般的なマスクは、鼻と口を覆う本体部と、本体部の両側端に設けられた紐状体と、を備えており、２つの紐状体をそれぞれ左右の耳に掛けて使用する。このようなマスクを使用した際には、息苦しさを感じたり、また、長時間使用した場合には、紐状体が当たる耳の後ろ部分に痛みを生じたりするという問題があった。
【０００３】
このような問題を解決するために、特許文献１には、紐状体の端部を挿通する孔と、眼鏡のフレームに係止するための係止部材と、を備えたマスクホルダーが開示されている。このマスクホルダーでは、マスクは耳ではなく眼鏡のフレームによって支持されるため、耳に痛みが生じるのを防ぐことができる。
【０００４】
また、特許文献２には、鼻から左右の頬側に延長されたフレームと、このフレームの左右の端部に連結された耳掛け部と、このフレームの左右端部に連結された伸縮紐と、を備えたマスクが開示されている。このマスクでは、伸縮紐によって内側フィルタを顔側に押さえつけることにより口元空間を形成するとともに、耳掛け部によって耳に掛けられるため、通常の紐状体を備えたマスクに比べて耳に痛みが生じにくくなっている。
【０００５】
また、特許文献３には、マスク本体の上縁に、眼鏡のテンプルやブリッジに係止できる係止部を備えたマスクが開示されている。このマスクでは、マスクが眼鏡に垂下された状態で支持されるため、紐状体を用いた従来のマスクと比べて耳の痛みが生じにくく、また、マスク本体が顔から離間した状態となるため、息苦しさも低減することができる。
【先行技術文献】
【特許文献】
【０００６】
【特許文献１】実用新案登録第３１３６５７０号
【特許文献２】特開２０１６−０９３３１８号公報
【特許文献３】実用新案登録第３１３３５４１号
【考案の概要】
【考案が解決しようとする課題】
【０００７】
上述したように、特許文献１のマスクホルダーでは耳の痛みを防止することはできるが、息苦しさを低減することはできない。また、特許文献２のマスクでは、耳の痛みを低減することができるが、耳掛け部を耳に掛ける必要があるため、眼鏡との併用が困難である。また、口元空間を十分確保することが難しいため、息苦しさの低減も十分とは言えない。さらに、特許文献３のマスクでは、耳の痛みおよび息苦しさを低減することができる。しかしながら、例えば、向かい風が吹くような状況では、マスク本体が顔に張り付き、不快感を生じるおそれがある。
【０００８】
本考案は上記課題に鑑みてなされたものであり、その目的は、簡易な構成で、装着時の耳の痛みが生じるのを防ぎ、息苦しさを低減するフェイスカバーを提供することにある。
【課題を解決するための手段】
【０００９】
上記課題を解決するために、本考案に係る、顔を少なくとも部分的に覆うカバー本体を備えたフェイスカバーであって、眼を覆う眼カバー部と、当該眼カバー部の両端から側頭部側に延設され、頭部に支持される頭部被支持部と、を備えたアイウェアに装着されるフェイスカバーでは、前記カバー本体の上縁部の中央部より両端側に、前記頭部被支持部に係止する側部係止部を備え、前記カバー本体の上縁部近傍に、中央部から両端側に延びる弾性部を備えている。
【００１０】
この構成では、カバー本体は側部係止部によってアイウェアに係止されるため、紐状体を耳に掛けて使用する一般的なマスクと比べて、耳に痛みが生じにくくなっている。また、フェイスカバーをアイウェアに装着した状態では、カバー本体は幅方向に湾曲した状態となるが、このとき、弾性部の弾性復帰力によってカバー本体の上縁部が前方に凸となる形状となる。すなわち、カバー本体が顔から離間した状態を維持しやすくなるため、カバー本体が顔に張り付きにくくなり、また、息苦しさを低減することができる。
【００１１】
本考案に係るフェイスカバーの好適な実施形態の一つでは、前記カバー本体を平置きした状態で、前記弾性部はその中央部が前方に突出するよう形成されている。
【００１２】
弾性部をこのような形状とすることにより、カバー本体の上縁部の中央部をより顔から離間させることができる。
【００１３】
本考案に係るフェイスカバーの好適な実施形態の一つでは、前記カバー本体の内面の上縁部近傍から下方に延びる空間形成部材を備え、前記空間形成部材は、下方ほど前部に突出する漸増部を備えている。
【００１４】
このような漸増部を備えた空間形成部材を設けることにより、カバー本体を顔、特に、鼻や口から離間させ、カバー本体の内側に空間を形成することができる。これにより、息苦しさを低減することができる。
【００１５】
このような空間形成部材としては、様々な材料を用いることができるが、本考案に係るフェイスカバーの好適な実施形態の一つでは、前記空間形成部材は、幅方向に並設された２本の長尺材であり、２本の前記長尺材は、下方ほど互いに幅方向に離間するよう配置されている。
【００１６】
２本の長尺材（空間形成部材）をこのように配置することにより、カバー本体の内側に形成される空間を鼻孔や口の近傍で大きくすることができる。そのため、息苦しさを低減することができる。
【００１７】
本考案に係るフェイスカバーの好適な実施形態の一つでは、前記カバー本体の上縁部近傍に、前記アイウェアの前部に係止する前部係止部を備えている。
【００１８】
このような前部係止部を設けることにより、カバー本体が、側部係止部と前部係止部とでアイウェアに係止されるため、装着状態が安定する。  
【図面の簡単な説明】
【００１９】
【図１】実施例１におけるフェイスカバーとしてのマスクの正面図である。
【図２】実施例１における弾性部を形成するための弾性部形成部材（線状部材）の平置き状態の、（ａ）底面図，（ｂ）正面図および（ｃ）斜視図である。
【図３】実施例１におけるフェイスカバーとしてのマスクを装着した状態を示す図である。
【図４】実施例２におけるフェイスカバーとしてのマスクの正面図である。
【図５】実施例２における弾性部を形成するための弾性部形成部材（線状部材）および空間形成部材（棒状部材）の平置き状態の、（ａ）底面図，（ｂ）正面図，（ｃ）側面図および（ｄ）斜視図である。
【図６】実施例３におけるフェイスカバーとしてのマスクを装着した状態を示す図である。
【考案を実施するための形態】
【００２０】
本考案に係るフェイスカバーは、アイウェアに装着して使用するものであるが、先ず、アイウェアについて説明する。本考案におけるアイウェアは、眼鏡やゴーグル等、頭部に装着され、眼を覆うものの総称である。眼鏡であればレンズおよびリムが、ゴーグルであればレンズやアイカップ等が、本考案における眼カバー部に相当する。また、眼鏡であればテンプル（つる）が、ゴーグルであればストラップやベルト等が本考案における頭部被支持部に相当する。
【００２１】
以下に図面を用いて、本考案に係るフェイスカバーとしてのマスクの実施形態を説明する。なお、本考案においては、顔側が内側、顔と反対側が外側であり、顔から離間する方向が前、その反対が後ろである。また、以下の説明における上下左右および縦、幅は図１における上下左右および縦、幅を意味する。
【実施例１】
【００２２】
図１は、平置き状態の本実施例におけるマスク１を外側から見た正面図である。図１に示すように、本実施形態におけるマスク１は、略５各形状の布地からなるカバー本体１１を備えている。カバー本体１１は、マスク１を顔に装着した際に、顔のうち眼の下から下の部分を覆うものであり、本実施形態では胸元まで覆うことができる程度の長さとしている。（図３参照）
【００２３】
カバー本体１の上縁部の中央部分には、下方に凹む一対の凹部１４が形成され、一対の凹部１４の間には上方に突出する中央凸部１４ａが形成されている。また、カバー本体１の上縁部のうち一対の凹部１４の外方の端部から、側端部にかけて筒状部１２（本考案における側部係止部の例）が形成されている。本実施形態では、カバー本体１１の上縁を折り返し、上端から少し下を上端辺と平行に縫うことによって筒状部１２を形成している。筒状部１２の中央側および側部側にはそれぞれ前開口１２ａおよび後開口１２ｂが形成されている。
【００２４】
また、カバー本体１１は、その上縁部近傍に幅方向に弾性を有する弾性部１３を備えている。本実施形態では、筒状部１２および凹部１４に沿って弾性を有する線状部材１５を設けることにより、弾性部１３を形成している。本実施形態では、線状部材１５は弾性を有する針金等の線状の金属を用いている。後述するように、線状部材１５は、カバー本体１１に対して弾性力を作用させる必要があるため、カバー本体１１にしっかりと固定される。固定方法は特に限定はなく、様々な方法を用いることができるが、カバー本体１１の内側に形成した筒状部に線状部材１５を挿通したり、カバー本体１１の内側に線状部材１５を固定した後に、線状部材１５を布等で覆っておくと、線状部材１５が直接顔に触れるのを防止することができ、好ましい。また、線状部材１５を着脱可能としておけば、カバー本体１１の洗濯が容易となり好ましい。
【００２５】
図２（ａ），（ｂ）および（ｃ）はそれぞれ、平置き状態の線状部材１５の底面図、正面図および斜視図である。図に示すように、線状部材１５は、カバー本体１の筒状部１２に沿う直線部１５ａと、カバー本体１の凹部１４に沿う凹部１５ｂとを備えている。また、一対の凹部１５ｂの接続部分は前方に突出し、凸部１５ｃを形成している。
【００２６】
図３は、マスク１を顔に装着した状態を示す図である。図に示すように、マスク１の使用者は眼鏡２（本考案におけるアイウェアの例）を装着している。一般的な眼鏡は、レンズを支持するリム２１、一対のリム２１を結合するブリッジ２２、各々のリム２１の外方の端部から延設された一対のテンプル２３を備えている。
【００２７】
マスク１を使用する際には、左右のテンプル２３をそれぞれ左右の筒状部１２の前開口１２ａから後開口１２ｂに向けて挿通する。これにより、カバー本体１１が眼鏡２によって支持され、顔のうち、眼から下の部分を覆うことができる。そのため、紐状体を耳に掛けて使用する一般的なマスクに比べて、耳の痛みが生じにくくなっている。また、カバー本体１１に凹部１４が形成されているため、カバー本体１１の上縁部がレンズにかかりにくくなっている。そのため、カバー本体１１が視界を遮りにくくなっている。
【００２８】
上述のようにマスク１を眼鏡２に装着すると、カバー本体１１の上縁部近傍に設けられた弾性部１３の弾性復帰力によって、カバー本体１１の上縁部が顔から離間するような形状に維持される。そのため、カバー本体１１が顔に密着することを防止し、息苦しさを解消することができる。
【００２９】
さらに、弾性部１３を形成するための線状部材１５の中央に前方に突出する凸部１５ｃが形成されているため、カバー本体１１の上縁部の中央部をより前方に突出させることができる。これにより、よりカバー本体１１が顔に密着することを防止することができる。
【実施例２】
【００３０】
図４は、本実施例におけるフェイスカバーとしてのマスク１の正面図である。本実施例におけるマスク１は、カバー本体１の内側に空間形成部材１６を備えている点においてのみ実施例１と異なっており、実施例１と同様の構成は同一の符号を付し、詳細な説明は省略する。
【００３１】
本実施例におけるマスク１は、カバー本体１の内側に空間形成部材１６として一対の棒状部材１６ａ，１６ｂを備えている。なお、各々の棒状部材１６ａ，１６ｂを区別する必要がない場合には棒状部材１６と表記する。
【００３２】
棒状部材１６ａ，１６ｂの上端は線状部材１５の中央部（凸部１５ｃ）近傍に固定され、下方かつ前方に延びている（図５参照）。棒状部材１６の固定方法も特に限定はなく、様々な方法を用いることができるが、カバー本体１１の内側に形成した筒状部に棒状部材１６を挿通したり、カバー本体１１の内側に棒状部材１６を固定した後に、棒状部材１６を布等で覆っておくと、棒状部材１６が直接顔に触れるのを防止することができ、好ましい。また、棒状部材１６はカバー本体１の内側、特に、鼻の近傍に空間を形成するためのものであるため、棒状部材１６下端が鼻より下になる長さが望ましい。
【００３３】
図５（ａ），（ｂ），（ｃ）および（ｄ）はそれぞれ、平置き状態での線状部材１５および棒状部材１６の底面図，正面図，側面図および斜視図である。図４および図５を参照しつつ、棒状部材１６を詳細に説明する。図４に示すように、マスク１を正面から平面的に見ると、棒状部材１６ａ，１６ｂは幅方向に並設されているが、上端では互いに近接し、下方ほど互いに離間するように配置されている。すなわち、平面的に見た場合に、棒状部材１６ａ，１６ｂはそれぞれ―θ，θ傾斜している。この角度θは、例えば、鼻間から左右の鼻翼に向かう角度とすることができる。
【００３４】
また、棒状部材１６は、下端が前方に突出するように、垂直平面（図４における紙面と平行な平面）に対して角度φの傾きを持って、左右軸周りに回転不能に固定されている。本実施例では、棒状部材１６は線状部材１５に対して固定されている。したがって、本実施例では、棒状部材１６が本考案における漸増部に相当する。
【００３５】
このような棒状部材１６を用いることにより、棒状部材１６に沿ってカバー本体１１が前方に突出し、鼻や口の近傍ではカバー本体１１が顔から離間し、カバー本体１１の内側に空間が形成される。そのため、息苦しさが生じるのを防止することができる。また、２本の棒状部材１６ａ，１６ｂを下方ほど離間するように並設することにより、カバー本体１１の内側の空間を幅方向に拡張することができる。これにより、鼻孔周囲に空間が形成され、呼吸が楽になる。
【００３６】
本実施例では、空間形成部材として一対の棒状部材１６ａ，１６ｂを用いたが、長尺の板状部材や線状部材を用いても構わないし、空間形成部材の数は適宜変更可能である。また、一対の長尺材を平行に並設しても構わない。この場合には、互いの距離が左右の鼻翼間の距離程度とするのが好ましい。
【００３７】
また、空間形成部材として、棒状部材１６に代えて、側面視において前方に凸となる円弧状の線状部材等を用いることもできる。この場合、鼻孔または口近傍が最も突出するようにすれば、鼻孔や口の周囲に空間が形成され、呼吸が楽になる。また、この場合、空間形成部材の上端から、最も前方に突出する部位までが、本考案における漸増部に相当する。
【実施例３】
【００３８】
図６は、本実施例におけるフェイスカバーとしてのマスク１を装着した状態の斜視図である。本実施例におけるマスク１は、カバー本体１１の中央凸部１４ａ近傍に前部係止部１７を備えている点においてのみ実施例１と異なっており、実施例１と同様の構成は同一の符号を付し、詳細な説明は省略する。
【００３９】
前部係止部１７は、カバー本体１１を眼鏡２の前側に係止するためのものであり、支持部材１７ａと係止部材１７ｂとを備えている。支持部材１７ａの一端は線状部材１５の凸部１５ｃ近傍に固定され、他端は係止部材１７ｂに固定されている。支持部材１７ａとしては、棒状の剛体や、弾性を有する棒状体，板状体，バネ等を用いることができる。係止部材１７ｂは、支持部材１７ａを介してカバー本体１１を眼鏡２に支持させるための部材である。本実施例では、係止部材１７ｂはクリップであり、眼鏡２のブリッジ２２を上下から挟むことにより、固定している。
【００４０】
前部係止部１７を設けることにより、カバー本体１１は、両側では筒状部１２によって、前側では前部係止部１７によって、眼鏡２に係止されるため、安定した装着状態となる。また、支持部材１７ａとして弾性を有する部材を用いた場合、向かい風等の前方からの力がカバー本体１１（特に、中央凸部１４ａ）に作用した際に、支持部材１７ａの弾性力によって、前方からの力が吸収され、眼鏡２に加わる力を小さくすることができ、好ましい。
【００４１】
本実施例では、前部係止部１７を眼鏡２のブリッジ２２に固定したが、眼鏡２の前部であれば他の部位に固定しても構わない。また、支持部材１７ａと係止部材１７ｂの対を複数設けても構わない。この場合には、この対が眼鏡２の真ん中（ブリッジ２２）に対して対称となるように配置する。
【００４２】
〔別実施形態〕
（１）上述の実施形態では、カバー本体１１の上縁部に２つの凹部１４を設けたが、１つの凹部としても構わない。その場合、１つの凹部の幅は上述の実施形態における２つの凹部１４の幅程度、すなわち、眼鏡のレンズの幅程度が好ましい。また、凹部１４を設けない構成とすることができる。その場合、２つの筒状部１２の中央側の端部間の距離は、眼鏡等のフレームの幅程度とすればよい。
【００４３】
（２）上述の実施形態では、弾性部を線状部材としたが、弾性を有する板状部材としても構わない。
【００４４】
（３）上述の実施形態では、アイウェアを眼鏡として説明したが、ゴーグルのようにゴムバンドや紐等の頭部を外囲するもの（頭部被支持部）で顔に固定されるその他のアイウェアにも、本考案にフェイスカバーを装着することができる。その場合には、側部係止部１２は筒状部１２とするのではなく、クリップやフック等、頭部被支持部の形状に適したものを使用すればよい。
【００４５】
（４）上述の実施形態では、カバー本体１１は布製としたが、プラスチック等、他の素材を用いることもできる。カバー本体１１自体が弾性を有する素材の場合には、カバー本体１１の上縁近傍自体が弾性部１３となるため、線状部材１５を設けない構成とすることもできる。
【産業上の利用可能性】
【００４６】
本考案は、眼鏡やゴーグル等のアイウェアに装着して、顔を少なくとも部分的に覆うマスクやフェースシールド等のフェイスカバーに利用することができる。
【符号の説明】
【００４７】
１：マスク（フェイスカバー）
１１：カバー本体
１２：筒状部（部係止部）
１３：弾性部
１４：凹部
１５：線状部材（弾性部形成部材）
１６，１６ａ，１６ｂ：棒状部材（空間形成部材）
１７：前部係止部
２：眼鏡（アイウェア）
２１：リム（眼カバー部）
２２：ブリッジ（アイウェアの前部）
２３：テンプル（頭部被支持部）
【図１】
0003228822.tif 000003
【図２】
0003228822.tif 000004
【図３】
0003228822.tif 000005
【図４】
0003228822.tif 000006
【図５】
0003228822.tif 000007
【図６】
0003228822.tif 000008